(57)【特許請求の範囲】
【請求項１】
パネルの開口部の周縁部に支持軸を介して接続され、前記支持軸に直交する方向の両端部に設けられたパネル側係合部を有する枠状部と、
両端部に設けられた押し子と、各押し子に設けられて、押し子の長手方向に沿って前記パネル側係合部と係合する押し子側係合部とを有し、前記パネル側係合部と前記押し子側係合部とが係合した状態で前記枠状部に組み付けられて、ボタン面の押圧操作により前記枠状部とともにシーソー動作するボタン部と
を備えたことを特徴とするボタン構造。
【請求項２】
前記パネル側係合部は、前記枠状部の両端部外側に形成された凹部または凸部であり、
前記押し子側係合部は、前記押し子の長手方向に沿って形成された凸部または凹部であることを特徴とする請求項１記載のボタン構造。
【請求項３】
前記ボタン面における、前記枠状部の内側に対応する部分に設けられたボタン部を備えたことを特徴とする請求項１または請求項２記載のボタン構造。
【請求項４】
請求項１から請求項３のうちのいずれか１項記載のボタン構造を用いた電子機器。
【発明の詳細な説明】
【技術分野】
【０００１】
この発明は、シーソーボタンのボタン構造およびこれを備えた電子機器に関する。
【背景技術】
【０００２】
近年、ナビゲーション装置、オーディオ機器などの電子機器の操作パネルには、複数の種類のボタンが配置されている。これらのボタンの中には、例えば特許文献１に記載されるようなシーソーボタンが採用される場合がある。
特許文献１に記載されるシーソーボタンは、揺動スイッチノブにおける長手方向の中間部分でパネルに支持され、パネルに支持された部分を支点としてシーソー動作を行う。
【先行技術文献】
【特許文献】
【０００３】
【特許文献１】特開２０１０−１０８８６５号公報
【発明の概要】
【発明が解決しようとする課題】
【０００４】
特許文献１に記載されるシーソーボタンでは、筐体に設けられた支持軸となる係合凸部に揺動スイッチノブの係合孔部を嵌め込むことにより、ボタン部である揺動スイッチノブが筐体側に位置決めされる。このように従来のシーソーボタンでは、ボタン部をパネル側に組み付けるときに、ボタン部の支持軸となる部分で位置決めを行っていた。
このため、従来のシーソーボタンは、ボタン部をパネルの開口部に挿入して支持軸部分で位置決めするまでにガタツキが発生しやすく、ボタン部をパネル側に位置決めしにくいという課題があった。
【０００５】
この発明は上記課題を解決するもので、ボタン部をパネルに組み付ける際のガタツキを抑制することができるボタン構造およびこれを備えた電子機器を得ることを目的とする。
【課題を解決するための手段】
【０００６】
この発明に係るボタン構造は、枠状部およびボタン部を備えている。枠状部は、パネルの開口部の周縁部に支持軸を介して接続され、支持軸に直交する方向の両端部に設けられたパネル側係合部を有する。ボタン部は、両端部に設けられた押し子と、各押し子に設けられて、押し子の長手方向に沿ってパネル側係合部と係合する押し子側係合部とを有し、パネル側係合部と押し子側係合部とが係合した状態で枠状部に組み付けられて、ボタン面の押圧操作により枠状部とともにシーソー動作する。
【発明の効果】
【０００７】
この発明によれば、押し子の長手方向に沿って係合部が係合した状態でボタン部がパネルに組み付けられるので、ボタン部をパネルに組み付ける際のガタツキを抑制することができる。
【図面の簡単な説明】
【０００８】
【図１】この発明の実施の形態１に係るボタン構造を備えた電子機器を示す斜視図である。
【図２】実施の形態１に係るボタン構造を示す分解斜視図である。
【図３】実施の形態１におけるボタン部を裏側からみた様子を示す斜視図である。
【図４】実施の形態１におけるパネル側の構造を示す斜視図である。
【図５】実施の形態１に係るボタン構造を裏側からみた様子を示す斜視図である。
【図６】実施の形態１に係るボタン構造を図５のＡ−Ａ線で切った様子を示す断面矢示図である。
【図７】ボタン照明構造を含む実施の形態１に係るボタン構造を示す断面図である。
【図８】この発明の実施の形態２に係るボタン構造を示す正面図である。
【図９】実施の形態２に係るボタン構造を図８のＢ−Ｂ線で切った様子を示す断面矢示図である。
【発明を実施するための形態】
【０００９】
実施の形態１．
図１は、この発明の実施の形態１に係るボタン構造を備えた電子機器１を示す斜視図である。電子機器１は、パネル２と本体筐体３とを備えた構造を有しており、例えば、車載用のナビゲーション装置、オーディオ機器により実現される。また、パネル２には、表示部４および操作ボタン５が設けられている。操作ボタン５は、操作者の押圧操作によってシーソー動作するボタンである。
【００１０】
図２は、実施の形態１に係るボタン構造を示す分解斜視図であり、図１の操作ボタン５を分解した様子を示している。図３は、実施の形態１におけるボタン部５ａを裏側からみた様子を示す斜視図である。図４は、実施の形態１におけるパネル２側の構造を示す斜視図である。ボタン部５ａはシーソーボタンの本体部であり、図２に示す矢印方向に沿ってパネル２の表側から開口部８に挿入されてシーソーボタンの枠状部９に組み付けられる。
【００１１】
ボタン部５ａの表側はボタン面５ｂとなっており、ボタン面５ｂの長手方向の両端部には、ボタン面５ｂから突出した押圧部５ｂ−１，５ｂ−２が形成されている。操作者は、押圧部５ｂ−１または押圧部５ｂ−２を押圧して操作ボタン５を操作する。
【００１２】
ボタン部５ａの裏側には、押し子６，７が形成されている。押し子６，７は、ボタン部５ａの裏側の両端部から柱状に突出した部材であり、押圧部５ｂ−１，５ｂ−２の押圧によって押圧方向に移動することにより、本体筐体３側に配置されたスイッチを押下する。
さらに、押し子６には、係合凸部６ａが形成されており、押し子７には、係合凹部７ａが形成されている。
【００１３】
係合凸部６ａは、この発明における押し子側係合部を具体化した構成要素であり、図３に示すように、押し子６の長手方向に沿って形成された凸部である。
係合凹部７ａは、この発明における押し子側係合部を具体化した構成要素であり、図３に示すように、押し子７の長手方向に沿って形成された凹部である。
さらに、ボタン部５ａの裏側には、係合爪部１２が形成されている。係合爪部１２は、押し子６，７に隣接した位置に設けられて、枠状部９の引っ掛け面部９ｂに引っ掛け係合する。
【００１４】
パネル２には、ボタン部５ａを組み付けるための開口部８が形成されており、開口部８には、枠状部９が接続されている。枠状部９は、図４に示すように、開口部８の周縁部に支持軸９ａを介して接続された枠状の部材であって、支持軸９ａに直交する方向の両端部に係合凹部１０と係合凸部１１とを有する。また、支持軸９ａに隣接した開口部８の周縁部には、半円状に隆起した支持部２−１が形成されている。
【００１５】
係合凹部１０は、この発明におけるパネル側係合部を具体化した構成要素であり、図４に示すように、枠状部９の一方の端部の外側にボタン部５ａの組み付け方向に沿って形成された凹部である。
係合凸部１１は、この発明におけるパネル側係合部を具体化した構成要素であり、図４に示すように、枠状部９の他方の端部の外側にボタン部５ａの組み付け方向に沿って形成された凸部である。
【００１６】
図５は、実施の形態１に係るボタン構造を裏側からみた様子を示す斜視図である。図６は、実施の形態１に係るボタン構造を、図５のＡ−Ａ線で切った様子を示す断面矢示図である。前述したように、係合凸部６ａと係合凹部７ａとは、ボタン部５ａの裏側から突出している押し子６，７に形成されている。このため、ボタン部５ａがパネル２の開口部８に挿入された際に、まず、係合凸部６ａの端部が係合凹部１０に嵌合し、係合凹部７ａの端部が係合凸部１１に嵌合する。このようにして、ボタン部５ａはパネル２側に位置決めされる。
【００１７】
ボタン部５ａは、パネル２の開口部８から図１で示した本体筐体３側に挿入されると、図６に示すように、係合凸部６ａが押し子６の長手方向に沿って係合凹部１０と係合し、係合凹部７ａが押し子７の長手方向に沿って係合凸部１１と係合した状態になる。
これにより、押し子６，７がガイドとして機能するので、ボタン部５ａは、ガタツキを発生することなく、パネル２の開口部８に挿入される。
【００１８】
さらに開口部８に挿入されてボタン部５ａの裏面部が支持部２−１に接触した状態で、係合爪部１２は、枠状部９の引っ掛け面部９ｂに引っ掛け係合する。この引っ掛け係合によって、ボタン部５ａが枠状部９から外れる方向の動きが規制され、ボタン部５ａは枠状部９に固定される。
この状態で押圧部５ｂ−１または押圧部５ｂ−２が押圧されると、ボタン部５ａは、支持部２−１と接触した部分を支点としてシーソー動作し、このとき枠状部９は支持軸９ａの捻れ変形によりシーソー動作する。このようにして、ボタン部５ａは枠状部９とともにシーソー動作する。
【００１９】
これまでの説明では、押し子６に設けられた係合凸部６ａが枠状部９の係合凹部１０に係合し、押し子７に設けられた係合凹部７ａが枠状部９の係合凸部１１に係合する構成を示した。このように構成することで、ボタン部５ａをパネル２に組み付ける際に、ボタン部５ａの向きが誤って組み付けられることを防止できる。
ただし、この発明に係るボタン構造は、押し子６，７に係合凸部をそれぞれ設け、枠状部９の両端部に係合凹部をそれぞれ設けた構造であってもよい。反対に、押し子６，７に係合凹部をそれぞれ設け、枠状部９の両端部に係合凸部をそれぞれ設けた構造であってもよい。すなわち、この発明における押し子６，７の係合部と枠状部９の係合部は、押し子６，７の長手方向に沿って係合する構造であればよい。
【００２０】
また、従来のシーソーボタンの中には、ボタン部の裏側の中央部に係合部を設け、この係合部と係合する係合部をパネル側に設けて、これら係合部を係合させることで、ボタン部をパネルに組み付ける構造のものがある。
しかしながら、この構造では、ボタン部の裏側の係合部が照明光を遮るため、ボタン面での照明範囲が狭くなるという不具合があった。
【００２１】
これに対して、実施の形態１に係るボタン構造では、枠状部９の内側には係合部などがないため、ボタン面５ｂの照明範囲を拡大することができる。
図７は、ボタン照明構造を含む実施の形態１に係るボタン構造を示す断面図であって、ボタン構造を図５のＡ−Ａ線と同様な位置で切った様子を示している。
ボタン部５ａは透光性あるいは半透光性の部材で構成されており、ボタン面５ｂには、遮光性の塗装膜５ｃが形成されている。また、ボタン文字などの照明する部分は、塗装膜５ｃがない照明部５ｄとなっている。
【００２２】
パネル２の内部に配置された基板１３には、枠状部９の内側に対応する位置に光源１４が実装されており、押し子６に対応する位置にスイッチ１５、押し子７に対応する位置にスイッチ１６が実装されている。光源１４は照明光１７を照射する光源であり、例えば、発光ダイオードにより実現される。
【００２３】
押圧部５ｂ−１が押圧されると、ボタン部５ａは、支持軸９ａを支点としてシーソー動作して、押し子６がスイッチ１５を押下する。また押圧部５ｂ−２が押圧されると、ボタン部５ａは、支持軸９ａを支点としてシーソー動作して、押し子７がスイッチ１６を押下する。支持軸９ａは、枠状部９の外周部と開口部８の周縁部との間を接続している。
【００２４】
このように実施の形態１であるボタン構造においては、枠状部９の内側に照明光１７を遮る構成部材がないため、照明光１７は、枠状部９の内側においてボタン部５ａの裏側に照射され、ボタン部５ａを介して照明部５ｄから外部に透過される。このように、ボタン面５ｂの照明範囲を拡大することができる。
【００２５】
以上のように、実施の形態１に係るボタン構造において、枠状部９は、パネル２の開口部８の周縁部に支持軸９ａを介して接続され、支持軸９ａに直交する方向の両端部に設けられた係合凹部１０および係合凸部１１を有する。ボタン部５ａは、両端部に設けられた押し子６，７と、押し子６，７に設けられて、押し子６，７の長手方向に沿って係合凹部１０および係合凸部１１と係合する係合凸部６ａおよび係合凹部７ａとを有する。
そして、ボタン部５ａは、係合凸部６ａおよび係合凹部７ａと係合凹部１０および係合凸部１１とが係合した状態で枠状部９に組み付けられて、ボタン面５ｂの押圧操作により枠状部９とともにシーソー動作する。
このように構成することで、押し子６，７の長手方向に沿って押し子側の係合凸部６ａおよび係合凹部７ａとパネル側の係合凹部１０および係合凸部１１とが係合した状態で、ボタン部５ａがパネル２に組み付けられる。これにより、ボタン部５ａをパネル２に組み付けるときのガタツキを抑制することができる。
【００２６】
また、実施の形態１に係るボタン構造を用いることによって、上記のような効果が得られる電子機器１を提供することができる。
【００２７】
実施の形態２．
図８は、この発明の実施の形態２に係るボタン構造を示す正面図であり、図１に示した電子機器１のパネル２に組み付けられる操作ボタン５Ａを示している。また図９は、実施の形態２に係るボタン構造を図８のＢ−Ｂ線で切った様子を示す断面矢示図である。
操作ボタン５Ａは、実施の形態１と同様に構成されたシーソーボタンであり、例えば、音量の調節に用いられる。
【００２８】
操作ボタン５Ａには、押しボタン１８が追加されている。押しボタン１８は、この発明におけるボタン部を具体化した構成要素であり、図９に示すように、ボタン面５ｂにおける、枠状部９の内側に対応する部分に設けられる。例えば、押しボタン１８は、電源スイッチとして用いてもよい。
【００２９】
また、押しボタン１８はボタン部５ａのシーソー動作とは独立した動作が可能である。
例えば、押しボタン１８は、ボタン部５ａとは無関係に、ボタン面１８ａの押圧により押圧方向に移動して、図示しないスイッチを押下する。
【００３０】
なお、操作ボタン５Ａに追加されるボタン部が押しボタン１８である場合を示したが、この発明は、これに限定されるものではない。例えば、ボタンの種類は押しボタン以外であってもよく、追加するボタン部は１つまたは複数であってもよい。すなわち、この発明におけるボタン部は、ボタン面５ｂにおける、枠状部９の内側に対応する部分に配置可能であればよい。
【００３１】
以上のように、実施の形態２に係るボタン構造において、ボタン面５ｂにおける、枠状部９の内側に対応する部分に設けられた押しボタン１８を備える。
このように構成することで、１つのボタンで複数の操作が可能な複合ボタンを簡易な構成で実現することができる。また、シーソーボタンと他のボタンとを組み合わせることで、意匠上の効果も期待できる。
【００３２】
また、実施の形態２に係るボタン構造を用いることによって、上記と同様の効果が得られる電子機器１を提供することができる。
【００３３】
なお、本発明はその発明の範囲内において、各実施の形態の自由な組み合わせあるいは各実施の形態の任意の構成要素の変形、もしくは各実施の形態において任意の構成要素の省略が可能である。
【符号の説明】
【００３４】
１  電子機器、２  パネル、２−１  支持部、３  本体部、４  表示部、５，５Ａ  操作ボタン、５ａ  ボタン部、５ｂ，１８ａ  ボタン面、５ｂ−１，５ｂ−２  押圧部、５ｃ  塗装膜、５ｄ  照明部、６，７  押し子、６ａ，１１  係合凸部、７ａ，１０  係合凹部、８  開口部、９  枠状部、９ａ  支持軸、９ｂ  引っ掛け面部、１２  係合爪部、１３  基板、１４  光源、１５，１６  スイッチ、１７  照明光、１８  押しボタン。
【図１】
0006705607.tif 000002
【図２】
0006705607.tif 000003
【図３】
0006705607.tif 000004
【図４】
0006705607.tif 000005
【図５】
0006705607.tif 000006
【図６】
0006705607.tif 000007
【図７】
0006705607.tif 000008
【図８】
0006705607.tif 000009
【図９】
0006705607.tif 000010